(57)【要約】【課題】広い色再現範囲、高彩度及び高光沢感で、メタメリズムが低減され、光沢ムラが解消した高画質印刷物を提供可能なインクジェット式記録ヘッド及びそれを用いる記録方法を提供する。【解決手段】記録ヘッドは、イエロー、マゼンタ及びシアンの各インク、色相角約０〜８０゜のインク（Ａ）、及び色相角約２６０〜３３０゜のインク（Ｂ）を備えるインクセット用であり、（１）複数ノズル開口を備えたノズル列を少なくとも５列備え、（２）少なくとも２つのノズル列が、シアンインクノズル開口とインク（Ｂ）ノズル開口とを交互に備え、（３）シアンインク及びインク（Ｂ）のノズル開口を交互に備える第１ノズル列においてシアンインクノズル開口の配置位置と、シアンインク及びインク（Ｂ）のノズル開口を備える第２ノズル列において前記インク（Ｂ）ノズル開口の配置位置とが、副走査方向で一致する。【選択図】  図２
2004314352.tif 000002
【特許請求の範囲】
【請求項１】
少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク、該色相角∠Ｈ゜が約２３０〜約２６０゜の範囲であるシアンインク、該色相角∠Ｈ゜が約０〜約８０゜の範囲であるインク（Ａ）、及び該色相角∠Ｈ゜が約２６０〜約３３０゜の範囲であるインク（Ｂ）を備えるインクセット用のインクジェット式記録ヘッドであって、
（１）前記ヘッドの副走査方向に複数のノズル開口を列状に配置して形成されたノズル列を、前記ヘッドの主走査方向に相互に平行に、前記インクセットを構成する少なくとも５種のインクの数に応じて少なくとも５列備えること、
（２）その５列のノズル列の内の少なくとも２つのノズル列が、それぞれ、前記シアンインクを吐出するノズル開口と前記インク（Ｂ）を吐出するノズル開口とを副走査方向に交互に備えるノズル列であること、及び
（３）前記シアンインクを吐出するノズル開口と前記インク（Ｂ）を吐出するノズル開口とを副走査方向に交互に備える第１のノズル列（Ｃ／Ｂ）において前記シアンインク吐出ノズル開口が配置されている位置と、前記シアンインクを吐出するノズル開口と前記インク（Ｂ）を吐出するノズル開口とを副走査方向に交互に備える第２のノズル列（Ｂ／Ｃ）において前記インク（Ｂ）吐出ノズル開口が配置されている位置とが、前記ヘッドの副走査方向において一致する
ことを特徴とする、前記のインクジェット式記録ヘッド
〔前記色相角（∠Ｈ゜）は、∠Ｈ゜＝ｔａｎ−１（ｂ＊／ａ＊）＋１８０（ａ＊＜０の場合）、又は∠Ｈ゜＝ｔａｎ−１（ｂ＊／ａ＊）＋３６０（ａ＊＞０の場合）により求められ、ａ＊及びｂ＊は、ＣＩＥＬＡＢ色空間において定義される知覚色度指数を表す。〕。
【請求項２】
（１）ノズル列の内の更に少なくとも２つのノズル列が、それぞれ、前記マゼンタインクを吐出するノズル開口と前記インク（Ａ）を吐出するノズル開口とを副走査方向に交互に備えるノズル列であり、
（２）前記マゼンタインクを吐出するノズル開口と前記インク（Ａ）を吐出するノズル開口とを副走査方向に交互に備える第１のノズル列（Ｍ／Ａ）において前記マゼンタインク吐出ノズル開口が配置されている位置と、前記マゼンタインクを吐出するノズル開口と前記インク（Ａ）を吐出するノズル開口とを副走査方向に交互に備える第２のノズル列（Ａ／Ｍ）において前記インク（Ａ）吐出ノズル開口が配置されている位置とが、前記ヘッドの副走査方向において一致する、請求項１に記載のインクジェット式記録ヘッド。
【請求項３】
（１）前記インクセットが更にブラックインクを含み、
（２）前記ヘッドがブラックインク用のノズル列を更に含み、
（３）ノズル列の内の更に少なくとも２つのノズル列が、それぞれ、前記イエローインクを吐出するノズル開口と前記ブラックインクを吐出するノズル開口とを副走査方向に交互に備えるノズル列であり、
（４）前記イエローインクを吐出するノズル開口と前記ブラックインクを吐出するノズル開口とを副走査方向に交互に備える第１のノズル列（Ｙ／Ｋ）において前記イエローインク吐出ノズル開口が配置されている位置と、前記イエローインクを吐出するノズル開口と前記ブラックインクを吐出するノズル開口とを副走査方向に交互に備える第２のノズル列（Ｋ／Ｙ）において前記ブラックインク吐出ノズル開口が配置されている位置とが、前記ヘッドの副走査方向において一致する、請求項１又は２に記載のインクジェット式記録ヘッド。
【請求項４】
前記インクセットの各インクに含有される色材が顔料である、請求項１〜３のいずれか一項に記載のインクジェット式記録ヘッド。
【請求項５】
前記インク（Ａ）に含有される顔料が、Ｃ．Ｉ．ピグメントオレンジ５、Ｃ．Ｉ．ピグメントオレンジ４３、Ｃ．Ｉ．ピグメントオレンジ６２、Ｃ．Ｉ．ピグメントレッド１７、Ｃ．Ｉ．ピグメントレッド４９：２、Ｃ．Ｉ．ピグメントレッド１１２、Ｃ．Ｉ．ピグメントレッド１７７、Ｃ．Ｉ．ピグメントレッド１７８、Ｃ．Ｉ．ピグメントレッド１８８、Ｃ．Ｉ．ピグメントレッド２５５、及びＣ．Ｉ．ピグメントレッド２６４からなる群から選ばれる１種又は２種以上の顔料である、請求項４に記載のインクジェット式記録ヘッド。
【請求項６】
前記インク（Ｂ）に含有される前記顔料が、Ｃ．Ｉ．ピグメントブルー６０、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット３２、Ｃ．Ｉ．ピグメントバイオレット３６、及びＣ．Ｉ．ピグメントバイオレット３８からなる群から選ばれる１種又は２種以上の顔料である、請求項４又は５に記載のインクジェット式記録ヘッド。
【請求項７】
前記イエローインクに含有される前記顔料が、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、及びＣ．Ｉ．ピグメントイエロー１８５からなる群から選ばれる１種又は２種以上の顔料である、請求項４〜６のいずれか一項に記載のインクジェット式記録ヘッド。
【請求項８】
前記マゼンタインクに含有される前記顔料が、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、及びＣ．Ｉ．ピグメントバイオレット１９からなる群から選ばれる１種又は２種以上の顔料である、請求項４〜７のいずれか一項に記載のインクジェット式記録ヘッド。
【請求項９】
前記シアンインクに含有される前記顔料が、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．バットブルー４、及びＣ．Ｉ．バットブルー６０からなる群から選ばれる１種又は２種以上の顔料である、請求項４〜８のいずれか一項に記載のインクジェット式記録ヘッド。
【請求項１０】
前記イエローインク、前記マゼンタインク及び前記シアンインクそれぞれにおける前記顔料の含有量が０．１〜３重量％であり、前記インク（Ａ）及び前記インク（Ｂ）それぞれにおける前記顔料の含有量が２〜６重量％である、請求項４〜９のいずれか一項に記載のインクジェット式記録ヘッド。
【請求項１１】
少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク、該色相角∠Ｈ゜が約２３０〜約２６０゜であるシアンインク、該色相角∠Ｈ゜が約０〜約８０゜の範囲であるインク（Ａ）、及び該色相角∠Ｈ゜が約２６０〜約３３０゜の範囲であるインク（Ｂ）を備えるインクセットを用いて、記録媒体上にインクジェット記録を実施する際に、
（１）インクジェット式記録ヘッドの副走査方向に複数のノズル開口を列状に配置して形成されたノズル列を、前記ヘッドの主走査方向に相互に平行に、前記インクセットを構成する少なくとも５種のインクの数に応じて少なくとも５列備え、
（２）その５列のノズル列の内の少なくとも２つのノズル列が、それぞれ、前記シアンインクを吐出するノズル開口と前記インク（Ｂ）を吐出するノズル開口とを副走査方向に交互に備えるノズル列であり、そして
（３）前記シアンインクを吐出するノズル開口と前記インク（Ｂ）を吐出するノズル開口とを副走査方向に交互に備える第１のノズル列（Ｃ／Ｂ）において前記シアンインク吐出ノズル開口が配置されている位置と、前記シアンインクを吐出するノズル開口と前記インク（Ｂ）を吐出するノズル開口とを副走査方向に交互に備える第２のノズル列（Ｂ／Ｃ）において前記インク（Ｂ）吐出ノズル開口が配置されている位置とが、前記ヘッドの主走査方向において一致するインクジェット式記録ヘッドを用いることを特徴とする、インクジェット記録方法
〔前記色相角（∠Ｈ゜）は、∠Ｈ゜＝ｔａｎ−１（ｂ＊／ａ＊）＋１８０（ａ＊＜０の場合）、又は∠Ｈ゜＝ｔａｎ−１（ｂ＊／ａ＊）＋３６０（ａ＊＞０の場合）により求められ、ａ＊及びｂ＊は、ＣＩＥＬＡＢ色空間において定義される知覚色度指数を表す。〕。
【発明の詳細な説明】
【０００１】
【発明の属する技術分野】
本発明は、少なくとも５色の特定インクを含むインクセットを用いるインクジェット記録に使用するインクジェット式記録ヘッド、及びそのヘッドを用いる記録方法に関する。前記の５色の特定インクとは、イエローインク、マゼンタインク、及びシアンインクの３原色インクに加え、記録媒体上でのＣＩＥＬＡＢ色空間において定義される色相角（∠Ｈ゜）が特定の範囲にある２種の顔料インクであり、本発明のインクジェット式記録ヘッドを用いると、色再現範囲が広く、彩度が高く、メタメリズムの低減された高画質の印刷物が提供されるだけでなく、光沢ムラが目立たない高画質の印刷物を得ることができる。
【０００２】
【従来の技術】
顔料インクは、一般に、染料インクに比して印刷物の画像堅牢性に優れており、サインやディスプレイ市場向けのワイドフォーマットのカラーインクジェット記録用インク等、その特性を活かした種々の用途において使用されている。このカラーインクジェット記録においては、通常、減法混色の３原色であるイエロー（Ｙ）、マゼンタ（Ｍ）及びシアン（Ｃ）の３色の顔料インクを備えた３色インクセット、あるいはこれにブラック（Ｋ）を加えた４色インクセットを用いて種々の色相を表現することが行われている。
【０００３】
しかし、前記３色又は４色インクセットは、色再現範囲が狭く、２次色以上の印刷部分（混色部分）の彩度が低下する等の問題があり、銀塩写真等に匹敵する高画質の印刷物を提供し得るレベルには到っていない。
また、彩度の低下の問題に対しては、これを高めるべく、ＹＭＣの各色インクの顔料濃度を増加する方法や、ＹＭＣの各色インクの記録媒体への打ち込み量を増加する方法等が採られてきたが、いずれの方法も光沢感の低下を招き、記録媒体として光沢紙を用いても写真調の風合いが得られないという欠点があった。また、３原色（ＹＭＣ）インクだけで彩度を効率的に広げるためには、減法混色に適した理想的な分光特性を持ったＹＭＣインク用の顔料種を選択しなければならず、更に耐光性等に優れた顔料種となるとその数は限られており、このような限られた顔料種の中で、上記のように顔料濃度の増加により彩度を高めようとしても、３原色の色相変化や、インクジェットプリンタのノズルの目詰まり等を起こすおそれがあり、効率的ではない。
【０００４】
また、色再現範囲の広い顔料インクセットとして、特開２０００−３５１９２８号公報（特許文献１）には、ＹＭＣの３色の顔料インクに加えて、それぞれ特定の顔料を含有するオレンジ、グリーン及びバイオレットのうちの少なくとも１色を備えたカラープリント用カラーインクジェットインクセットが開示されているが、このインクセットは、彩度の再現範囲が十分に広いとは言えず、光沢感の低下を招かずに彩度を高めることは出来なかった。また、ＷＯ９９／０５２３０号公報（特許文献２）には、ＹＭＣＫの４色の顔料インクに加えてオレンジ及びグリーンの２色の特色顔料インクを備えたインクセットが開示されているが、このインクセットは、パステル調の色のような明度が高く、彩度の低い色の再現性には優れるものの、それ以外の色に関しては、前記インクセットと同様に、彩度の再現範囲が不十分で、光沢感の低下を招かずに彩度を高めることは出来なかった。
【０００５】
このように、従来の顔料インクセットは、光沢感の低下を招くことなく、色再現範囲が広く彩度が高い高画質の印刷物を提供することは出来なかった。
また、従来の顔料インクセットを用いてインクジェット記録された印刷物は、照明する光源が変わると色相が変化する現象、いわゆるメタメリズムを起こすという問題があった。このメタメリズムは、特にＹＭＣの３色のインクにより形成されたコンポジットブラックやグレー系の色相部分で顕著に見られ、画質低下の一因となっている。
【０００６】
これらの欠点を解消する目的で、ＷＯ０２／１００９５９（特許文献３）には、イエローインク、マゼンタインク、及びシアンインクの３原色インクに加えて、記録媒体上でのＣＩＥＬＡＢ色空間において定義される色相角∠Ｈ゜が特定の範囲にある２種の顔料インク〔すなわち、イエローとマゼンタとの間に極大吸収波長を有するインク（Ａ）、及びマゼンタとシアンとの間に極大吸収波長を有するインク（Ｂ）〕の少なくとも５色のインクを含むインクセットが提案されている。このインクセットによれば、色再現範囲が広く、彩度が高く、光沢感があり、メタメリズムの低減された高画質の印刷物の提供が可能になる。しかしながら、銀塩写真に匹敵し、更に銀塩写真を凌駕する程度の高画質の印刷物を目指す場合には、前記インク（Ａ）及び前記インク（Ｂ）は、いずれも明度が低いため、粒状性の改善が望まれていた。
【０００７】
【特許文献１】
特開２０００−３５１９２８号公報
【特許文献２】
ＷＯ９９／０５２３０号公報
【特許文献３】
ＷＯ０２／１００９５９号公報
【０００８】
【発明が解決しようとする課題】
本発明者らは、前記ＷＯ０２／１００９５９号公報（特許文献３）に記載のインクセットを用いるインクジェット記録方法において、わずかではあるが光沢ムラが発生する場合のあることを見出した。このような光沢ムラも、銀塩写真に匹敵する高画質印刷物をインクジェット記録方法によって実現するためには、改善が必要である。
本発明者は、前記の光沢ムラ発生についての研究から、プリンタヘッドを主走査方向（プリンタキャリッジによる往復運動方向：給紙方向と直交する方向）での往方向及び復方向の両方向でそれぞれ印刷を行うと、前記の光沢ムラが現れる場合があることを突きとめ、更にその光沢ムラの解消手段を鋭意検討したところ、プリンタヘッドのノズル列に含まれるノズル開口から吐出するインクの種類を調整することによって効果的に解消可能であることを見出した。
本発明は、こうした知見に基づくものである。
【０００９】
【課題を解決するための手段】
従って、本発明は、少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク、該色相角∠Ｈ゜が約２３０〜約２６０゜の範囲であるシアンインク、該色相角∠Ｈ゜が約０〜約８０゜の範囲であるインク（Ａ）、及び該色相角∠Ｈ゜が約２６０〜約３３０゜の範囲であるインク（Ｂ）を備えるインクセット用のインクジェット式記録ヘッドであって、
（１）前記ヘッドの副走査方向に複数のノズル開口を列状に配置して形成されたノズル列を、前記ヘッドの主走査方向に相互に平行に、前記インクセットを構成する少なくとも５種のインクの数に応じて少なくとも５列備えること、
（２）その５列のノズル列の内の少なくとも２つのノズル列が、それぞれ、前記シアンインクを吐出するノズル開口と前記インク（Ｂ）を吐出するノズル開口とを副走査方向に交互に備えるノズル列であること、及び
（３）前記シアンインクを吐出するノズル開口と前記インク（Ｂ）を吐出するノズル開口とを副走査方向に交互に備える第１のノズル列（Ｃ／Ｂ）において前記シアンインク吐出ノズル開口が配置されている位置と、前記シアンインクを吐出するノズル開口と前記インク（Ｂ）を吐出するノズル開口とを副走査方向に交互に備える第２のノズル列（Ｂ／Ｃ）において前記インク（Ｂ）吐出ノズル開口が配置されている位置とが、前記ヘッドの副走査方向において一致する
ことを特徴とする、前記のインクジェット式記録ヘッド〔前記色相角（∠Ｈ゜）は、∠Ｈ゜＝ｔａｎ−１（ｂ＊／ａ＊）＋１８０（ａ＊＜０の場合）、又は∠Ｈ゜＝ｔａｎ−１（ｂ＊／ａ＊）＋３６０（ａ＊＞０の場合）により求められ、ａ＊及びｂ＊は、ＣＩＥＬＡＢ色空間において定義される知覚色度指数を表す。〕に関する。
【００１０】
本発明の好ましい態様によれば、（１）ノズル列の内の更に少なくとも２つのノズル列が、それぞれ、前記マゼンタインクを吐出するノズル開口と前記インク（Ａ）を吐出するノズル開口とを副走査方向に交互に備えるノズル列であり、
（２）前記マゼンタインクを吐出するノズル開口と前記インク（Ａ）を吐出するノズル開口とを副走査方向に交互に備える第１のノズル列（Ｍ／Ａ）において前記マゼンタインク吐出ノズル開口が配置されている位置と、前記マゼンタインクを吐出するノズル開口と前記インク（Ａ）を吐出するノズル開口とを副走査方向に交互に備える第２のノズル列（Ａ／Ｍ）において前記インク（Ａ）吐出ノズル開口が配置されている位置とが、前記ヘッドの副走査方向において一致する。
【００１１】
本発明の更に好ましい態様によれば、（１）前記インクセットが更にブラックインクを含み、
（２）前記ヘッドがブラックインク用のノズル列を更に含み、
（３）ノズル列の内の更に少なくとも２つのノズル列が、それぞれ、前記イエローインクを吐出するノズル開口と前記ブラックインクを吐出するノズル開口とを副走査方向に交互に備えるノズル列であり、
（４）前記イエローインクを吐出するノズル開口と前記ブラックインクを吐出するノズル開口とを副走査方向に交互に備える第１のノズル列（Ｙ／Ｋ）において前記イエローインク吐出ノズル開口が配置されている位置と、前記イエローインクを吐出するノズル開口と前記ブラックインクを吐出するノズル開口とを副走査方向に交互に備える第２のノズル列（Ｋ／Ｙ）において前記ブラックインク吐出ノズル開口が配置されている位置とが、前記ヘッドの副走査方向において一致する。
【００１２】
本発明の別の好ましい態様によれば、前記インクセットの各インクに含有される色材が顔料である。
本発明の別の好ましい態様によれば、前記インク（Ａ）に含有される顔料が、Ｃ．Ｉ．ピグメントオレンジ５、Ｃ．Ｉ．ピグメントオレンジ４３、Ｃ．Ｉ．ピグメントオレンジ６２、Ｃ．Ｉ．ピグメントレッド１７、Ｃ．Ｉ．ピグメントレッド４９：２、Ｃ．Ｉ．ピグメントレッド１１２、Ｃ．Ｉ．ピグメントレッド１７７、Ｃ．Ｉ．ピグメントレッド１７８、Ｃ．Ｉ．ピグメントレッド１８８、Ｃ．Ｉ．ピグメントレッド２５５、及びＣ．Ｉ．ピグメントレッド２６４からなる群から選ばれる１種又は２種以上の顔料である。
【００１３】
本発明の別の好ましい態様によれば、前記インク（Ｂ）に含有される前記顔料が、Ｃ．Ｉ．ピグメントブルー６０、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット３２、Ｃ．Ｉ．ピグメントバイオレット３６、及びＣ．Ｉ．ピグメントバイオレット３８からなる群から選ばれる１種又は２種以上の顔料である。
【００１４】
本発明の別の好ましい態様によれば、前記イエローインクに含有される前記顔料が、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、及びＣ．Ｉ．ピグメントイエロー１８５からなる群から選ばれる１種又は２種以上の顔料である。
【００１５】
本発明の別の好ましい態様によれば、前記マゼンタインクに含有される前記顔料が、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１６８、Ｃ．Ｉ．ピグメントレッド１８４、Ｃ．Ｉ．ピグメントレッド２０２、及びＣ．Ｉ．ピグメントバイオレット１９からなる群から選ばれる１種又は２種以上の顔料である。
【００１６】
本発明の別の好ましい態様によれば、前記シアンインクに含有される前記顔料が、Ｃ．Ｉ．ピグメントブルー１、Ｃ．Ｉ．ピグメントブルー２、Ｃ．Ｉ．ピグメントブルー３、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．バットブルー４、及びＣ．Ｉ．バットブルー６０からなる群から選ばれる１種又は２種以上の顔料である。
【００１７】
本発明の別の好ましい態様によれば、前記イエローインク、前記マゼンタインク及び前記シアンインクそれぞれにおける前記顔料の含有量が０．１〜３重量％であり、前記インク（Ａ）及び前記インク（Ｂ）それぞれにおける前記顔料の含有量が２〜６重量％である。
【００１８】
また、本発明は、少なくとも、記録媒体上でのＣＩＥＬＡＢ色空間において定義される色相角∠Ｈ゜が約８０〜約１１０゜の範囲であるイエローインク、該色相角∠Ｈ゜が約３３０〜約３６０゜の範囲であるマゼンタインク、該色相角∠Ｈ゜が約２３０〜約２６０゜であるシアンインク、該色相角∠Ｈ゜が約０〜約８０゜の範囲であるインク（Ａ）、及び該色相角∠Ｈ゜が約２６０〜約３３０゜の範囲であるインク（Ｂ）を備えるインクセットを用いて、記録媒体上にインクジェット記録を実施する際に、
（１）インクジェット式記録ヘッドの副走査方向に複数のノズル開口を列状に配置して形成されたノズル列を、前記ヘッドの主走査方向に相互に平行に、前記インクセットを構成する少なくとも５種のインクの数に応じて少なくとも５列備え、
（２）その５列のノズル列の内の少なくとも２つのノズル列が、それぞれ、前記シアンインクを吐出するノズル開口と前記インク（Ｂ）を吐出するノズル開口とを副走査方向に交互に備えるノズル列であり、そして
（３）前記シアンインクを吐出するノズル開口と前記インク（Ｂ）を吐出するノズル開口とを副走査方向に交互に備える第１のノズル列（Ｃ／Ｂ）において前記シアンインク吐出ノズル開口が配置されている位置と、前記シアンインクを吐出するノズル開口と前記インク（Ｂ）を吐出するノズル開口とを副走査方向に交互に備える第２のノズル列（Ｂ／Ｃ）において前記インク（Ｂ）吐出ノズル開口が配置されている位置とが、前記ヘッドの主走査方向において一致するインクジェット式記録ヘッドを用いることを特徴とする、インクジェット記録方法〔前記色相角（∠Ｈ゜）は、∠Ｈ゜＝ｔａｎ−１（ｂ＊／ａ＊）＋１８０（ａ＊＜０の場合）、又は∠Ｈ゜＝ｔａｎ−１（ｂ＊／ａ＊）＋３６０（ａ＊＞０の場合）により求められ、ａ＊及びｂ＊は、ＣＩＥＬＡＢ色空間において定義される知覚色度指数を表す。〕にも関する。
【００１９】
【発明の実施の形態】
最初に、本発明で用いるインクセットについて、その好ましい実施形態に沿って説明する。
本発明で用いるインクセットは、イエローインク、マゼンタインク及びシアンインクの３色のインクと、前記インク（Ａ）及び前記インク（Ｂ）の２色の特色インクとを少なくとも含み、いずれのインクも顔料インクであることが好ましいが、色材は顔料に限定されるものではない。
【００２０】
前記特色インクの一つであるインク（Ａ）は、記録媒体上でのＣＩＥＬＡＢ色空間において定義される色相角∠Ｈ゜が約０〜約８０゜の範囲であるインクであることが好ましい。色相角∠Ｈ゜は、ａ＊＜０の場合は、計算式（３）：
∠Ｈ゜＝ｔａｎ−１（ｂ＊／ａ＊）＋１８０    （３）
により求められ、ａ＊＞０の場合には、計算式（４）：
∠Ｈ゜＝ｔａｎ−１（ｂ＊／ａ＊）＋３６０    （４）
により求められる。ａ＊及びｂ＊は、ＣＩＥＬＡＢ色空間において定義される知覚色度指数を表す。
【００２１】
前記特色インクの他の一つであるインク（Ｂ）は、記録媒体上でのＣＩＥＬＡＢ色空間において定義される色相角∠Ｈ゜が、約２６０〜約３３０゜の範囲であるインクであることが好ましい。
【００２２】
本発明で用いるインクセットに含まれるイエローインク、マゼンタインク及びシアンインクの３色のインクとしては、この種の通常のインクセットにおいて通常用いられている減法混色の３原色のインクを用いることができる。
【００２３】
前記イエローインクの色相角∠Ｈ゜は約８０〜約１１０゜であり、前記マゼンタインクの色相角∠Ｈ゜は約３３０〜約３６０゜であり、前記シアンインクの色相角∠Ｈ゜は約２３０〜約２６０゜である。
【００２４】
本発明によるインクジェット式記録ヘッドは、前記インクセットを構成する少なくとも５種のインクを吐出する必要があるので、少なくとも５列のノズル列を含む。前記インクセットが、例えば、ブラックインクを含み、６種類のインクから構成される場合には、６列のノズル列が必要になる。同様に、７種類又はそれ以上のインクから構成される場合には、それに応じて、７列又はそれ以上のノズル列が必要になる。
【００２５】
前記インクセットが前記の５種のインクとブラックインクとの６種から構成される場合のインクジェット式記録ヘッドにおけるノズル列を、従来技術と同様に配置した具体的態様を図１に模式的に示す。図１において、矢印Ｘ及びＹは、主走査方向（すなわち、プリンタキャリッジによる往復運動方向）であり、矢印Ｚは副走査方向（すなわち、給紙方向）である。前記インクセットを構成する６種のインクに応じて設けられる６列のノズル列Ｒ１，Ｒ２，Ｒ３，Ｒ４，Ｒ５，Ｒ６は、例えば、それぞれ、シアンインク〔図１のＣ：図２〜図４のＣも同様〕、インク（Ｂ）〔図１のＢ：図２〜図４のＢも同様〕、マゼンタインク〔図１のＭ：図２〜図４のＭも同様〕、インク（Ａ）〔図１のＡ：図２〜図４のＡも同様〕、イエローインク〔図１のＹ：図２〜図４のＹも同様〕、及びブラックインク〔図１のＫ：図２〜図４のＫも同様〕を吐出する。
【００２６】
各インク列は、それぞれ、ヘッドの副走査方向に複数のノズル開口を列状に含んで形成される。例えば、図１に示すように、ｎ個のノズル開口Ｌ１，Ｌ２，Ｌ３，Ｌ４ないしＬｎ−３，Ｌｎ−２，Ｌｎ−１，Ｌｎを含む。例えば、ノズル列Ｒ１においては、全てのノズル開口Ｌ１，Ｌ２，Ｌ３，Ｌ４ないしＬｎ−３，Ｌｎ−２，Ｌｎ−１，Ｌｎからシアンインクが吐出され、ノズル列Ｒ２においては、全てのノズル開口Ｌ１，Ｌ２，Ｌ３，Ｌ４ないしＬｎ−３，Ｌｎ−２，Ｌｎ−１，Ｌｎからインク（Ｂ）が吐出される。なお、図１に示すインクジェット式記録ヘッドにおいて、６列のノズル列Ｒ１，Ｒ２，Ｒ３，Ｒ４，Ｒ５，Ｒ６に割り当てるインクの順序は、図１に示す態様に限定されるものではなく、任意のランダムな順序に配置することができる。例えば、マゼンタインク、シアンインク、ブラックインク、インク（Ａ）、イエローインク、及びインク（Ｂ）の順序でもよい。
【００２７】
図１に示すように配置されたインクジェット式記録ヘッドを用いて、主走査方向（矢印Ｘ及びＹの方向）の往復運動、すなわち、往運動（矢印Ｘの方向）及び復運動（矢印Ｙの方向）の両方において、それぞれインクを吐出させる印刷を行うと、前記の通り、光沢ムラが現れる場合があることを本発明者は見出した。
【００２８】
そこで、本発明者は、シアンインクとインク（Ｂ）とについて、図１に示すように、ノズル列Ｒ１をシアンインク専用とし、ノズル列Ｒ２をインク（Ｂ）専用とする代わりに、図２に示すように、ノズル列Ｒ１及びノズル列Ｒ２を２列１組として、それら２列１組のノズル列Ｒ１及びノズル列Ｒ２から、シアンインク〔図２のＣ〕とインク（Ｂ）〔図２のＢ〕とを交互に吐出する配置に変更してみたところ、前記の光沢ムラの発生を解消することができることを見出した。
【００２９】
この場合、図２に示すように、１段目のノズル開口Ｌ１において、ノズル列Ｒ１の１段目ノズル開口Ｌ１からはシアンインク〔図２のＣ〕が吐出され、ノズル列Ｒ２の１段目ノズル開口Ｌ１からはインク（Ｂ）〔図２のＢ〕が吐出される。続いて、２段目のノズル開口Ｌ２においては、インクの種類が代わり、ノズル列Ｒ１の２段目ノズル開口Ｌ２からは、逆にインク（Ｂ）が吐出され、ノズル列Ｒ２の２段目ノズル開口Ｌ２からはシアンインクが吐出される。更に、３段目のノズル開口Ｌ３では、１段目のノズル開口Ｌ１と同様に、ノズル列Ｒ１の３段目ノズル開口Ｌ３からはシアンインクが吐出され、ノズル列Ｒ２の３段目ノズル開口Ｌ３からはインク（Ｂ）が吐出される。こうして、それぞれのノズル列Ｒ１，Ｒ２で、ｎ段目ノズル開口Ｌｎまで、交互にシアンインクのノズル開口〔図２のＣ〕と、インク（Ｂ）のノズル開口〔図２のＢ〕とが順に配置される。
【００３０】
更に、本発明者は、シアンインク及びインク（Ｂ）での変更に加えて、マゼンタインク及びインク（Ａ）についても、図２に示すような配置から変更して、すなわち、ノズル列Ｒ３をマゼンタインク（Ｍ）専用とし、ノズル列Ｒ４をインク（Ａ）専用とする配置から変更して、図３に示すように、ノズル列Ｒ３及びノズル列Ｒ４から、マゼンタインク（Ｍ）とインク（Ａ）とを交互に吐出する配置に変更してみたところ、前記の光沢ムラの発生を更に良好に解消することができることを見出した。
【００３１】
更にまた、本発明者は、シアンインク及びインク（Ｂ）での変更並びにマゼンタインク及びインク（Ａ）での変更に加えて、イエローインク及びブラックインクについても、図４に示すように、ノズル列Ｒ５及びノズル列Ｒ６から、イエローインク（Ｙ）とブラックインク（Ｋ）とを交互に吐出する配置に変更してみたところ、前記の光沢ムラの発生を更に良好に解消することができることを見出した。
【００３２】
なお、前記図２〜図４に示すように、１列のノズル列から２種類のインクを吐出させることのできるインクジェット式記録ヘッドはすでに知られている。例えば、ＷＯ９８／２２２８８号公報には、１列のノズル列に複数のノズル開口を千鳥状に配置したヘッドが記載されており、特開２００１−１９１５２４号公報及び特開２００２−１１３８５２号公報には、複数のノズル開口を千鳥状に配置した前記ヘッドを利用する技術が開示されている。従って、本発明においても、これら公報に記載のヘッドを用いて、１列のノズル列から２種類のインクを吐出させることができる。
【００３３】
本発明において、図２に示すように２種のインクを２列の別々のノズル列から交互に吐出させる場合には、それら２列のノズル列が図２に示すように相互に隣接して配置されている必要はなく、相互に離間して配置することができる。また、それら２列のノズル列の一方が図２に示すようにノズル列の端部に配置されている必要もなく、ノズル列の中央に配置することもできる。例えば、ノズル列Ｒ１とノズル列Ｒ３との組み合わせ、ノズル列Ｒ３とノズル列Ｒ６との組み合わせ、あるいはノズル列Ｒ２とノズル列Ｒ５との組み合わせから、それぞれシアンインクとインク（Ｂ）とを吐出させることができる。
【００３４】
本発明において、図３に示すように２列１組の別々のノズル列（計４列）から４種のインクを交互に吐出させる場合には、図３に示すように、シアンインクとインク（Ｂ）との組み合わせ及びマゼンタインクとインク（Ａ）との組み合わせに代えて、例えば、シアンインクとインク（Ａ）との組み合わせ及びマゼンタインクとインク（Ｂ）との組み合わせを採用し、ノズル列Ｒ１とノズル列Ｒ２からシアンインクとインク（Ａ）とを吐出させ、ノズル列Ｒ３とノズル列Ｒ４からマゼンタインクとインク（Ｂ）とを吐出させることができる。同様に、ノズル列Ｒ１とノズル列Ｒ２からシアンインクとマゼンタインクとを吐出させ、ノズル列Ｒ３とノズル列Ｒ４からインク（Ａ）とインク（Ｂ）とを吐出させることもできる。
【００３５】
同様に、図４に示すように２列１組の別々のノズル列（計６列）から６種のインクを交互に吐出させる場合には、図４に示す組み合わせに代えて、例えば、ノズル列Ｒ１とノズル列Ｒ２からシアンインクとインク（Ａ）とを吐出させ、ノズル列Ｒ３とノズル列Ｒ４からマゼンタインクとインク（Ｂ）とを吐出させ、ノズル列Ｒ５とノズル列Ｒ６からイエローインクとブラックインクとを吐出させることができる。同様に、ノズル列Ｒ１とノズル列Ｒ２からシアンインクとマゼンタインクとを吐出させ、ノズル列Ｒ３とノズル列Ｒ４からインク（Ａ）とイエローインクとを吐出させ、ノズル列Ｒ５とノズル列Ｒ６からインク（Ｂ）とブラックインクとを吐出させることができる。
【００３６】
なお、図３に示すように２列１組の別々のノズル列（計４列）から４種のインクを交互に吐出させる場合や、図４に示すように２列１組の別々のノズル列（計６列）から６種のインクを交互に吐出させる場合にも、シアンインクとインク（Ｂ）との２列１組の組み合わせ、及びマゼンタインクとインク（Ａ）との２列１組の組み合わせ、更には、イエローインクとブラックインクとの２列１組の組み合わせを、それぞれ相互に隣接するノズル列から吐出させる必要はなく、相互に離れたノズル列から吐出させることができる。
【００３７】
本発明者が見出したところによれば、プリンタヘッドを主走査方向（プリンタキャリッジによる往復運動方向）に移動させてインクを吐出する際に、往方向及び復方向の両方向でそれぞれインク吐出を行う場合に発生する光沢ムラを解消することができる。また、その場合の印刷方式は、プログレシブ記録方式又はインターレース記録方式のいずれでもよく、本発明の効果は、プログレシブ記録方式及びインターレース記録方式の両方で顕著に現れる。
【００３８】
プログレシブ記録方式の原理を図５に模式的に示す。図５は、４つのノズル開口（Ｌ１，Ｌ２，Ｌ３，Ｌ４）からなるノズル列を有するインクジェット式記録ヘッドＨを使用して、記録媒体上に、上から順に画像を形成する場合を示す。図５では、インクジェット式記録ヘッドをプログレシブ記録方式によって副走査方向へ移動した場合の、記録媒体上でのインクの印字位置を示すことが目的であるので、各ヘッドのノズル列を１列のみで示す。
【００３９】
さて、最初の主走査（Ｓ１）では、ヘッドＨを位置Ｈ１で矢印Ｘの方向にキャリッジで移動させながらインクの吐出を行うと、４つのノズル開口Ｌ１，Ｌ２，Ｌ３，Ｌ４から、それぞれの位置Ｌ１ａ，Ｌ２ａ，Ｌ３ａ，Ｌ４ａでインクが吐出され、記録媒体上ではドット列Ｐに示すようにドットＬ１ａ，Ｌ２ａ，Ｌ３ａ，Ｌ４ａが印字される。続いて、給紙手段によって記録媒体を４ピッチの距離だけ移動させると、ヘッドＨは、第２の主走査（Ｓ２）のヘッド位置Ｈ２に移動する。この位置Ｈ２で、ヘッドＨを矢印Ｙの方向に移動させながらインクの吐出を行うと、４つのノズル開口Ｌ１，Ｌ２，Ｌ３，Ｌ４から、それぞれの位置Ｌ１ｂ，Ｌ２ｂ，Ｌ３ｂ，Ｌ４ｂでインクが吐出され、記録媒体上ではドット列ＰにおいてドットＬ１ｂ，Ｌ２ｂ，Ｌ３ｂ，Ｌ４ｂが印字される。
【００４０】
更に、同様に、給紙手段によって記録媒体を４ピッチの距離だけ移動させ、ヘッドＨを第３の主走査（Ｓ３）のヘッド位置Ｈ３に移動させてからヘッドＨを矢印Ｘの方向に走査させると、４つのノズル開口Ｌ１，Ｌ２，Ｌ３，Ｌ４から、それぞれの位置Ｌ１ｃ，Ｌ２ｃ，Ｌ３ｃ，Ｌ４ｃでインクが吐出され、記録媒体上では、ドット列ＰにおいてドットＬ１ｃ，Ｌ２ｃ，Ｌ３ｃ，Ｌ４ｃが印字される。以下同様に、記録媒体とヘッドＨを移動させると、記録媒体の上部から下部の方向に画像が順に形成される。
【００４１】
次に、インターレース記録方式の原理を図６に模式的に示す。図６は、一例として４つのノズル開口（Ｌ１，Ｌ２，Ｌ３，Ｌ４）が１／１２０インチ間隔で配置されたノズル列を有するインクジェット式記録ヘッドＨを使用して、解像度３６０ｄｐｉで印刷する場合を示す。図６では、インクジェット式記録ヘッドをインターレース記録方式によって副走査方向へ移動した場合の、記録媒体上でのインクの印字位置を示すことが目的であるので、各ヘッドのノズル列を１列のみで示し、ノズル不在部を破線の丸Ｖで示している。
【００４２】
さて、最初の主走査（Ｓ１）では、ヘッドＨを位置Ｈ１で矢印Ｘの方向にキャリッジで移動させながらインクの吐出を行うと、４つのノズル開口Ｌ１，Ｌ２，Ｌ３，Ｌ４から、それぞれの位置Ｌ１ａ，Ｌ２ａ，Ｌ３ａ，Ｌ４ａでインクが吐出され、記録媒体上ではドット列Ｐに示すようにドットＬ１ａ，Ｌ２ａ，Ｌ３ａ，Ｌ４ａが印字される（なお、後述するように、実際の印字では、ノズル開口Ｌ１，Ｌ２からはインクを吐出させない）。続いて、給紙手段によって記録媒体を４／３６０インチだけ移動させると、ヘッドＨは、第２の主走査（Ｓ２）のヘッド位置Ｈ２に移動する。この位置Ｈ２で、ヘッドＨを矢印Ｙの方向に移動させながらインクの吐出を行うと、４つのノズル開口Ｌ１，Ｌ２，Ｌ３，Ｌ４から、それぞれの位置Ｌ１ｂ，Ｌ２ｂ，Ｌ３ｂ，Ｌ４ｂでインクが吐出され、記録媒体上ではドット列ＰにおいてドットＬ１ｂ，Ｌ２ｂ，Ｌ３ｂ，Ｌ４ｂが印字される（実際の印字では、ノズル開口Ｌ１からはインクを吐出させない）。
【００４３】
更に、同様に、給紙手段によって記録媒体を４／３６０インチだけ移動させ、ヘッドＨを第３の主走査（Ｓ３）のヘッド位置Ｈ３に移動させてからヘッドＨを矢印Ｘの方向に走査させると、４つのノズル開口Ｌ１，Ｌ２，Ｌ３，Ｌ４から、それぞれの位置Ｌ１ｃ，Ｌ２ｃ，Ｌ３ｃ，Ｌ４ｃでインクが吐出され、記録媒体上では、ドット列ＰにおいてドットＬ１ｃ，Ｌ２ｃ，Ｌ３ｃ，Ｌ４ｃ（図示せず）が印字される。更に、給紙手段によって記録媒体を４／３６０インチだけ移動させ、第４の主走査（Ｓ４）のヘッド位置Ｈ４に移動させてヘッドＨを矢印Ｙの方向に走査させると、４つのノズル開口Ｌ１，Ｌ２，Ｌ３，Ｌ４から、それぞれの位置Ｌ１ｄ，Ｌ２ｄ，Ｌ３ｄ，Ｌ４ｄでインクが吐出され、記録媒体上ではドット列ＰにおいてドットＬ１ｄ，Ｌ２ｄ，Ｌ３ｄ（図示せず），Ｌ４ｄ（図示せず）が印字される。なお、図６に示すように、インターレース記録方式では、最初の主走査（Ｓ１）及び第２の主走査（Ｓ２）において一部のノズル開口からインクを吐出させないので、図６の破線１０よりも上方には画像が形成されず、破線１０よりも下方の印刷可能領域（Ｗ）に画像が形成される。
【００４４】
本発明で用いるインクセットに含まれるインクに含有される顔料としては、無機顔料及び有機顔料を使用することができ、それぞれ単独また複数種混合して用いることができる。前記無機顔料としては、例えば、酸化チタン及び酸化鉄の他、コンタクト法、ファーネス法、サーマル法等の公知の方法によって製造されたカーボンブラックが使用できる。また、前記有機顔料としては、例えば、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等）、染料キレート（例えば、塩基性染料型キレート、酸性染料型キレート等）、ニトロ顔料、ニトロソ顔料、アニリンブラック等が使用できる。具体的には下記顔料が挙げられる。
【００４５】
前記インク（Ａ）に含有される顔料としては、Ｃ．Ｉ．ピグメントオレンジ５，４３及び６２並びにＣ．Ｉ．ピグメントレッド１７，４９：２，１１２，１７７，１７８，１８８，２５５及び２６４からなる群から選ばれる１種又は２種以上を用いることが好ましい。
【００４６】
前記インク（Ｂ）に含有される顔料としては、Ｃ．Ｉ．ピグメントブルー６０並びにＣ．Ｉ．ピグメントバイオレット３，１９，２３，３２，３６及び３８からなる群から選ばれる１種又は２種以上を用いることが好ましい。
【００４７】
前記イエローインクに含有される顔料としては、例えば、Ｃ．Ｉ．ピグメントイエロー１，２，３，１２，１３，１４，１６，１７，７３，７４，７５，８３，９３，９５，９７，９８，１０９，１１０，１１４，１２８，１２９，１３８，１３９，１５０，１５１，１５４，１５５，１８０，１８５等が挙げられ、これらの１種又は２種以上が用いられる。これらのうち、特にＣ．Ｉ．ピグメントイエロー７４，１１０及び１２８からなる群から選ばれる１種又は２種以上を用いることが好ましい。
【００４８】
前記マゼンタインクに含有される顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２；Ｃ．Ｉ．ピグメントバイオレット１９等が挙げられ、これらの１種又は２種以上が用いられる。これらのうち、特にＣ．Ｉ．ピグメントレッド１２２及びＣ．Ｉ．ピグメントバイオレット１９からなる群から選ばれる１種又は２種以上を用いることが好ましい。
【００４９】
前記シアンインクに含有される顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの１種又は２種以上が用いられる。これらのうち、特にＣ．Ｉ．ピグメントブルー１５：３及び／又は１５：４を用いることが好ましく、とりわけ、Ｃ．Ｉ．ピグメントブルー１５：３を用いることが好ましい。
【００５０】
前記インク（Ａ）及び（Ｂ）それぞれにおける前記各顔料の含有量は、印字濃度とインクジェット記録用インクとしての信頼性とのバランスの観点から、それぞれ、インク全重量に対して、好ましくは２〜６重量％、更に好ましくは２〜４重量％である。
【００５１】
また、前記イエロー、マゼンタ及びシアンの３色のインクにおける前記各顔料の含有量は、光沢度と彩度の観点から、それぞれ、インク全重量に対して、好ましくは０．１〜３重量％、更に好ましくは１．５〜２重量％である。
【００５２】
本発明で用いるインクセットは、イエローインク、マゼンタインク及びシアンインクの３色の前記インクと２色の前記特色インクとを備えるものであるが、必要に応じてブラックインクを更に追加することもできる。ブラックインクに含有される顔料としては、例えば、ファーネスブラック、ランプブラック、アセチレンブラック、チャネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等が挙げられる。特にカーボンブラックを用いることが好ましく、好ましいカーボンブラックの例として、三菱化学製のＮｏ．２３００，  Ｎｏ．９００，  ＭＣＦ８８，  Ｎｏ．３３，  Ｎｏ．４０，  Ｎｏ．５２，  ＭＡ７，  ＭＡ８，  ＭＡ１００，  Ｎｏ．２２００Ｂ等、コロンビア社製の  Ｒａｖｅｎ５７５０，  Ｒａｖｅｎ５２５０，  Ｒａｖｅｎ５０００，  Ｒａｖｅｎ３５００，  Ｒａｖｅｎ１２５５，  Ｒａｖｅｎ７００等、キャボット社製の  Ｒｅｇａｌ  ４００Ｒ，  Ｒｅｇａｌ  ４００Ｒ，  Ｒｅｇａｌ  １６６０Ｒ，  Ｍｏｇｕｌ  １，  Ｍｏｎａｒｃｈ  ７００，  Ｍｏｎａｒｃｈ  ８００，  Ｍｏｎａｒｃｈ  ８８０，  Ｍｏｎａｒｃｈ  ９００，  Ｍｏｎａｒｃｈ  １０００，  Ｍｏｎａｒｃｈ  １１００，  Ｍｏｎａｒｃｈ  １３００，  Ｍｏｎａｒｃｈ  １４００  等、テグッサ社製の  Ｃｏｌｏｒ  Ｂｌａｃｋ  ＦＷ１，  Ｃｏｌｏｒ  Ｂｌａｃｋ  ＦＷ２，  Ｃｏｌｏｒ  Ｂｌａｃｋ  ＦＷ２Ｖ，  Ｃｏｌｏｒ  Ｂｌａｃｋ  ＦＷ１８，  Ｃｏｌｏｒ  Ｂｌａｃｋ  ＦＷ２００，  Ｃｏｌｏｒ  Ｂｌａｃｋ  Ｓ１５０，  Ｃｏｌｏｒ  Ｂｌａｃｋ  Ｓ１６０，  Ｃｏｌｏｒ  Ｂｌａｃｋ  Ｓ１７０，  Ｐｒｉｎｔｅｘ  ３５，  Ｐｒｉｎｔｅｘ  Ｕ，  Ｐｒｉｎｔｅｘ  Ｖ，  Ｐｒｉｎｔｅｘ  １４０Ｕ，  Ｓｐｅｃｉａｌ  Ｂｌａｃｋ  ６，  Ｓｐｅｃｉａｌ  Ｂｌａｃｋ  ５，  Ｓｐｅｃｉａｌ  Ｂｌａｃｋ  ４Ａ，  Ｓｐｅｃｉａｌ  Ｂｌａｃｋ  ４等が挙げられる。
また、前記ブラックインク中における前記顔料の含有量は、好ましくは０．１〜４重量％、更に好ましくは１〜３重量％である。
【００５３】
本発明で用いるインクセットに含まれる各インクには、顔料の分散安定性を高める観点から、分散剤を含有させることが好ましい。分散剤としては、この種の顔料インクにおけるものと同様のものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、スチレン−（メタ）アクリル酸共重合体を用いることが好ましい。
前記分散剤は、前記インク中において、前記顔料に対して、固形分換算で好ましくは０．１〜１０重量％、更に好ましくは０．３〜６重量％含有される。
【００５４】
また、本発明で用いるインクセットに含まれる各インクには、インクの乾燥を防いでインクジェットプリンタのヘッドでの目詰まりを防止する観点から、高沸点有機溶媒を含有させることができる。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン、糖アルコール等の糖類等が挙げられ、これらの１種又は２種以上が用いられる。
前記高沸点有機溶媒は、前記インク中、好ましくは０．１〜３０重量％、更に好ましくは０．５〜２０重量％含有される。
【００５５】
本発明で用いるインクセットに含まれる各インクには、前記顔料の他、必要に応じて、分散剤、高沸点有機溶媒、低沸点有機溶媒、浸透促進剤を含有させ、バランスとして水を含有させる。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００５６】
また、本発明で用いるインクセットに含まれる各インクには、インクの乾燥時間を短縮する観点から、低沸点有機溶媒を含有させることができる。低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００５７】
また、本発明で用いるインクセットに含まれる各インクには、記録媒体への濡れ性を高めて浸透性を高める観点から、浸透促進剤を含有させることができる。浸透促進剤としては、例えば、アニオン性界面活性剤、カチオン性界面活性剤、両性界面活性剤等の各種界面活性剤；メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル又は１，２−ヘキサンジオールを用いることが好ましい。
前記浸透促進剤は、前記インク中、好ましくは１〜２０重量％、更に好ましくは１〜１０重量％含有される。
【００５８】
前記浸透促進剤として、一般式（６）：
【化１】
2004314352.tif 000003
〔式中、０≦ｍ＋ｎ≦５０であり、Ｒ２１、Ｒ２２、Ｒ２３、及びＲ２４はそれぞれ独立してアルキル基、好ましくは炭素原子数６以下のアルキル基である〕
で表されるアセチレングリコ−ル系化合物や、一般式（７）：
【化２】
2004314352.tif 000004
（式中、Ｒ１１〜Ｒ１７は、独立して、Ｃ１−６アルキル基を表し、ｊ及びｋは、独立して、１以上の整数を表し、ＥＯはエチレンオキシ基を表し、ＰＯはプロピレンオキシ基を表し、ｓ及びｔは０以上の整数を表すが、但しｓ＋ｔは１以上の整数を表し、ＥＯ及びＰＯは、［  ］内においてその順序は問わず、ランダムであってもブロックであってもよい）
で表されるポリシロキサン系化合物を用いることもできる。
【００５９】
該アセチレングリコ−ル系化合物としては、市販されているものを用いることができ、例えば、オルフィンＹ、サーフィノール８２，４４０，４６５，４８５，ＳＴＧ，Ｅ１０１０（いずれも商品名、エア・プロダクツ・アンド・ケミカルズ社製）等が挙げられ、これらの１種又は２種以上が用いられる。特にサーフィノール４６５を用いることが好ましい。また、該ポリシロキサン系化合物としては、市販品としてＢＹＫ３４７，３４８（ビックケミージャパン製）等を用いることができる。該アセチレングリコール系化合物及び／又は該ポリシロキサン系化合物は、前記インク中、好ましくは０．１〜５重量％、更に好ましくは０．５〜２重量％含有される。
【００６０】
本発明で用いるインクセットに含まれる各インクには、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００６１】
本発明で用いるインクセットに含まれる各インクは、従来公知の方法で、各配合成分を分散及び混合することによって調製することができる。例えば、最初に、イオン交換水と、顔料と、分散剤と、有機溶剤と、そして必要に応じて、その他の添加剤成分を適当な分散機（例えば、ボールミル、サンドミル、アトライター、ロールミル、アジテータミル、へンシェルミキサー、コロイドミル、超音波ホモジナイザー、ジェットミル、又はオングミルなど）で混合し、均一な顔料分散液を調製する。次いで、イオン交換水と、有機溶剤と、そして必要に応じて、その他の添加剤成分を常温で充分に攪拌してインク溶媒を調製する。このインク溶媒を適当な攪拌機で攪拌した状態のところに、前記顔料分散液を徐々に滴下して充分に攪拌する。充分に攪拌した後に、目詰まりの原因となる粗大粒子及び異物を除去するために濾過を行って目的のインク組成物を得ることができる。
また、自己分散型顔料を着色剤として用いる場合には、顔料を表面処理して顔料自体を分散状態とする以外は、前記の操作と同様にしてインク組成物を得ることができる。
【００６２】
本発明で用いるインクセットに含まれる各インクの物性も、一般的には、インクジェット記録用インク組成物が有する物性を有する。例えば、表面張力（２０℃）は、２０〜４０ｍＮ／ｍであることが好ましく、更に好ましくは、２５〜３５ｍＮ／ｍの範囲である。表面張力が４０ｍＮ／ｍを越えると、印字の乾燥性が悪くなり、滲みが発生しやすくなり、良好な印刷画像が得られにくい。また、表面張力が２０ｍＮ／ｍ未満では、プリンタヘッドのノズル周囲が濡れやすくなるためにインク滴の飛行曲がりが発生する等、吐出安定性に問題が生じ易い。前記表面張力は、通常に用いられる表面張力計によって測定することができる。インクの表面張力は、インクを構成する各成分の種類や組成比などを調整することにより前記範囲内とすることができる。
【００６３】
本発明で用いるインクセットに含まれる各インクの２０℃における粘度も、一般的なインクジェット記録用インク組成物が有する粘度と同様であり、好ましくは２〜１０ｃｐｓ、より好ましくは３〜６ｃｐｓである。粘度が１０ｃｐｓを越えると、ヘッドの駆動周波数を上げることができないことがあり、２ｃｐｓ未満になると、吐出が不安定になることがある。
【００６４】
なお、本発明で用いるインクセットに含まれる各インクの浸透性も、一般的なインクジェット記録用インク組成物が有する浸透性と同様であることが好ましい。インクの浸透性は、インクを構成する各成分（特に、前記の各浸透促進剤）の種類や組成比などを調整することにより適切な範囲内とすることができる。
【００６５】
本発明によるノズル列の配置によって、光沢ムラの発生が解消される理由は、現在のところ明確ではないが、以下のように推定することもできる。
すなわち、インクジェット記録方式において、ノズル開口の配置やインク液滴の飛行方向は、厳密には正確ではなく、インクの着弾位置には若干のズレが生じている。着弾位置のズレは、インク付着層の厚さのバラツキを生み、こうしたバラツキが周期的に発生すると、光沢ムラとなって認識される。本発明によれば、こうしたバラツキが不規則に現れることになり、その結果、光沢ムラが抑制されるものと一応解釈することもできる。しかしながら、本発明者の観察によれば、シアンインクと前記インク（Ｂ）との組み合わせに関して、図２に示すような配置を採用する場合に、最も顕著な効果が認められるのであるが、前記の推論によると、この現象を説明することができない。従って、別の機構によって、光沢ムラが抑制されている可能性もある。
【００６６】
【実施例】
以下、実施例によって本発明を具体的に説明するが、これらは本発明の範囲を限定するものではない。
＜比較例１＞
（１）インクセット１の調製
以下の表１に記載の６種のインク組成物〔イエロー、マゼンタ、シアン、インク（Ａ）、インク（Ｂ）、及びブラック〕からなるインクセット１を調製した。また、各インクは、表１に記載の配合成分から、常法によって調製した。
具体的には、イオン交換水と、顔料と、スチレン−アクリル酸共重合体（分散剤）と、トリエチレングリコールモノブチルエーテル（浸透促進剤）の一部と、トリエタノールアミン（分散剤の中和剤）の一部とをボールミルで混合し、均一な顔料分散液を調製した。次いで、イオン交換水と、有機溶剤と、浸透促進剤と、界面活性剤と、トリエタノールアミンの残部とを常温で充分に攪拌してインク溶媒を調製した。このインク溶媒を攪拌した状態のところに、前記顔料分散液を徐々に滴下して充分に攪拌した。充分に攪拌した後に、目詰まりの原因となる粗大粒子及び異物を除去するために濾過を行って目的のインク組成物を得た。
【００６７】
【表１】
2004314352.tif 000005
表１において、数値は重量％である。また、表１に記載の配合成分は、以下の通りである。
ＡＱＵＡＣＥＲ５９３：ノニオン性ポリプロピレンエマルジョン（ビック・ケミージャパン社製）固形分３０重量％
オルフィンＥ１０１０：アセチレングリコール系界面活性剤（日信化学社製）
ＢＹＫ−３４７：ポリシロキサン系界面活性剤（ビック・ケミージャパン社製）なお、表１において、オルフィンＥ１０１０及びＢＹＫ−３４７は界面活性剤であり、トリエチレングリコールモノブチルエーテル及び１，２−ヘキサンジオールは浸透促進剤である。
【００６８】
（２）印刷手順
１列に４８ノズル開口を有し、それらのノズル開口のノズル間隔が１２０ｄｐｉ（ドット／インチ）であるノズル列を６列備えたヘッドを搭載したインクジェットプリンタ（ＰＭ−８７０Ｃ；セイコーエプソン製）を用い、高光度なインクジェット専用紙であるＰＭ写真用紙（セイコーエプソン社製）に、前記調製例１（１）で調製したインクセット１によって印刷を行った。６種のインクを吐出するノズル配列は、図１に示す通りである。
また、印刷は、図６に示すとおりのインターレース方式で行った。１ドット当たりの吐出インク重量を約４０ｎｇとし、縦横のインク付着密度を３６０×３６０ｄｐｉとした。
【００６９】
＜実施例１＞
前記調製例１（１）で調製したインクセット１を用いるが、ヘッドのインク流路を改造して、図２に示すように、ノズル列Ｒ１及びＲ２からシアンインク及びインク（Ｂ）を交互に吐出させて印刷試験を行った。
【００７０】
＜実施例２＞
前記調製例１（１）で調製したインクセット１を用いるが、ヘッドのインク流路を改造して、図３に示すように、ノズル列Ｒ１及びＲ２からシアンインク及びインク（Ｂ）を交互に吐出させることに加えて、更に、ノズル列Ｒ３及びＲ４からマゼンタインク及びインク（Ａ）を交互に吐出させて印刷試験を行った。
【００７１】
＜実施例３＞
前記調製例１（１）で調製したインクセット１を用いるが、ヘッドのインク流路を改造し、図４に示すように、ノズル列Ｒ１及びＲ２からシアンインク及びインク（Ｂ）を交互に吐出させ、ノズル列Ｒ３及びＲ４からマゼンタインク及びインク（Ａ）を交互に吐出させることに加えて、更に、ノズル列Ｒ５及びＲ６からイエローインク及びブラックインクを交互に吐出させて印刷試験を行った。
【００７２】
＜評価＞
（１）光沢ムラ
Ａ４サイズのＩＳＯ４００で規定されている数種類の人物画像の印刷サンプルにより光沢ムラの発生を目視により以下の基準で判定した。
Ａ：印刷サンプルからの観察距離を１０ｃｍ以下にしても光沢ムラを認識することができない。
Ｂ：印刷サンプルからの観察距離が１０ｃｍ以下では光沢ムラを認識することができるが、３０ｃｍ以上では認識することができない。
Ｃ：印刷サンプルからの観察距離を３０ｃｍ以上としても光沢ムラを認識することができる。
評価結果を、表２に示す。
【００７３】
【表２】
2004314352.tif 000006
【００７４】
【発明の効果】
本発明によれば、色再現範囲が広く、彩度が高く、光沢感があり、メタメリズムの低減された高画質の印刷物の提供が可能になるだけでなく、光沢ムラが解消した高画質の印刷物を提供することができる。
【図面の簡単な説明】
【図１】６種インクから構成されるインクセットを、６列のノズル列を有するインクジェット式記録ヘッドによって印刷する場合の、従来技術によるノズル列及びノズル開口の配置状態を示す説明図である。
【図２】６種インクから構成されるインクセットを、６列のノズル列を有するインクジェット式記録ヘッドによって印刷する場合の、本発明の一態様によるノズル列及びノズル開口の配置状態を示す説明図である。
【図３】６種インクから構成されるインクセットを、６列のノズル列を有するインクジェット式記録ヘッドによって印刷する場合の、本発明の別の態様によるノズル列及びノズル開口の配置状態を示す説明図である。
【図４】６種インクから構成されるインクセットを、６列のノズル列を有するインクジェット式記録ヘッドによって印刷する場合の、本発明の更に別の態様によるノズル列及びノズル開口の配置状態を示す説明図である。
【図５】４つのノズル開口からなるノズル列を有するインクジェット式記録ヘッドを使用して、４ドット間隔で副走査方向へ移動させる場合のプログレシブ記録方式の原理を示す説明図である。
【図６】４つのノズル開口からなるノズル列を有するインクジェット式記録ヘッドを使用して、３ドット間隔で副走査方向へ移動させる場合のインターレース記録方式の原理を示す説明図である。
【図１】
2004314352.tif 000007
【図２】
2004314352.tif 000008
【図３】
2004314352.tif 000009
【図４】
2004314352.tif 000010
【図５】
2004314352.tif 000011
【図６】
2004314352.tif 000012